(57)【特許請求の範囲】
【請求項１】
揮発性香料を含有する複数のセルロースアセテートフィルタ付きシガレットを内部に収納するシガレットパッケージであって、前記パッケージの内に、前記香料と同じ香料を含む多孔質の多糖類ゲルが収容されているシガレットパッケージ。
【請求項２】
前記香料が、ｌ−メントールを含む請求項１に記載のシガレットパッケージ。
【請求項３】
前記多糖類が、ゲランガムとタマリンドガムとの混合物を含む請求項２に記載のシガレットパッケージ。
【請求項４】
前記多糖類ゲルがシートの形態にあり、前記シートが、パッケージの内面の少なくとも一部を覆っている請求項１に記載のシガレットパッケージ。
【発明の詳細な説明】
【技術分野】
【０００１】
本発明は、シガレットパッケージに係り、より詳しくは、喫煙したとき、揮発性香料のシガレット主流煙中のデリバリー量を有意に低下させないシガレットパッケージに関する。
【背景技術】
【０００２】
シガレットは、パッケージに収容された状態で保管され、販売される。パッケージは、外側パックと、外側パック内に収容され、シガレットの束を直接包む内側パックからなる。外側パックは、薄い樹脂フィルムで覆われている。【０００３】
ところで、現在販売されているシガレットの多くは、フィルタを備え、そのフィルタ素材としてセルロースアセテートが用いられている。セルロースアセテートは、シガレット主流煙の成分のろ過、収着に極めて優れているが、シガレットに含まれるメントール等の揮発性の香料成分をも収着してしまう。そのため、シガレットは、パッケージ内に収容されて保管されていても、セルロースアセテートによる収着により、喫煙したときの主流煙中への揮発性香料のデリバリー量が、保管期間が長くなるにつれて減少し、その減少速度は、保管時の温度が高いほど高くなる傾向にある。【０００４】
特許文献１は、パッケージを開封した後のシガレット中の香料の揮散を抑制するために、グリセリンエステルおよび／またはプロピレングリコールを含有する包装材料でシガレットを包むことを開示している。しかしながら、開封しないパッケージ中に収容されたシガレットが高温に曝されたときの香料の揮散については検討されていない。
【先行技術文献】
【特許文献】
【０００５】
【特許文献１】日本国特許第２９６０００８号
【発明の概要】
【発明が解決しようとする課題】
【０００６】
本発明の目的は、未開封のパッケージ内に収容された、揮発性香料を含有するシガレットが高温に曝されても、喫煙したとき、揮発性香料のシガレット主流煙中のデリバリー量を有意に低下させないシガレットパッケージを提供することにある。
【課題を解決するための手段】
【０００７】
本発明の一つの側面によれば、揮発性香料を含有する複数のシガレットを内部に収納するシガレットパッケージであって、前記パッケージ内に、前記香料と同じ香料を含む多孔質の多糖類ゲルが収容されているシガレットパッケージが提供される。
【発明の効果】
【０００８】
本発明のシガレットパッケージは、高温に曝されても、揮発性香料のシガレット主流煙中のデリバリー量を有意に低下させない。
【図面の簡単な説明】
【０００９】
【図１】図１は、本発明の一つの態様によるシガレットパッケージの斜視図である。
【図２】図２は、本発明の別の態様によるシガレットパッケージの斜視図である。
【図３】図３は、後述する実施例１で調製したマイクロ波加熱をする前の揮発性香料含有乾燥多糖類ゲルシートのＳＥＭ写真である。
【図４】図４は、後述する実施例１で調製したマイクロ波加熱後の揮発性香料含有多孔質多糖類ゲルシートのＳＥＭ写真である。
【図５】図５は、シガレットの主流煙中へのメントールのデリバリー量の経時変化を示すグラフである。
【発明を実施するための形態】
【００１０】
本発明の一つの側面に係るシガレットパッケージは、揮発性香料を含有する複数のシガレットを内部に収納する。パッケージ内には、シガレットに含まれる揮発性香料と同じ香料を含む多孔質の多糖類ゲルが収容されている。
【００１１】
パッケージは、ヒンジ蓋型のボックスのようないわゆるハードパッケージであっても、ソフトパッケージであってもよい。いずれのパッケージにおいても、複数（通常１５本または２０本）のシガレットが、アルミニウム箔で裏打ちさた紙シートからなる内側パックにより直接包装され、これが外側パック内に収容される。
【００１２】
パッケージ内に収容される複数のシガレットは、それぞれ、通常のシガレットであり、タバコ刻等のタバコ充填材のロッドと、このロッドの外周を包むシガレット巻紙からなるシガレットロッドを備える。シガレットロッドの一端には、チップペーパーによりフィルタを取り付けることができる。フィルタは、例えばセルロースアセテート繊維のトウをフィルタ素材として含むいわゆるセルロースアセテートフィルタであり得る。シガレットは、揮発性香料を含有する。揮発性香料には、例えば、アセトアニソール、アセトフェノン、アセチルピラジン、２−アセチルチアゾール、アルファルファエキストラクト、アミルアルコール、酪酸アミル、トランス−アネトール、スターアニス油、リンゴ果汁、ペルーバルサム油、ミツロウアブソリュート、ベンズアルデヒド、ベンゾインレジノイド、ベンジルアルコール、安息香酸ベンジル、フェニル酢酸ベンジル、プロピオン酸ベンジル、２，３−ブタンジオン、２−ブタノール、酪酸ブチル、酪酸、カラメル、カルダモン油、キャロブアブソリュート、β−カロテン、ニンジンジュース、Ｌ−カルボン、β−カリオフィレン、カシア樹皮油、シダーウッド油、セロリーシード油、カモミル油、シンナムアルデヒド、ケイ皮酸、シンナミルアルコール、ケイ皮酸シンナミル、シトロネラ油、ＤＬ−シトロネロール、クラリセージエキストラクト、ココア、コーヒー、コニャック油、コリアンダー油、クミンアルデヒド、ダバナ油、δ−デカラクトン、γ−デカラクトン、デカン酸、ディルハーブ油、３，４−ジメチル−１，２−シクロペンタンジオン、４，５−ジメチル−３−ヒドロキシ−２，５−ジヒドロフラン−２−オン、３，７−ジメチル−６−オクテン酸、２，３−ジメチルピラジン、２，５−ジメチルピラジン、２，６−ジメチルピラジン、２−メチル酪酸エチル、酢酸エチル、酪酸エチル、ヘキサン酸エチル、イソ吉草酸エチル、乳酸エチル、ラウリン酸エチル、レブリン酸エチル、エチルマルトール、オクタン酸エチル、オレイン酸エチル、パルミチン酸エチル、フェニル酢酸エチル、プロピオン酸エチル、ステアリン酸エチル、吉草酸エチル、エチルバニリン、エチルバニリングルコシド、２−エチル−３，（５または６）−ジメチルピラジン、５−エチル−３−ヒドロキシ−４−メチル−２（５Ｈ）−フラノン、２−エチル−３−メチルピラジン、ユーカリプトール、フェネグリークアブソリュート、ジェネアブソリュート、リンドウ根インフュージョン、ゲラニオール、酢酸ゲラニル、ブドウ果汁、グアヤコール、グァバエキストラクト、γ−ヘプタラクトン、γ−ヘキサラクトン、ヘキサン酸、シス−３−ヘキセン−１−オール、酢酸ヘキシル、ヘキシルアルコール、フェニル酢酸ヘキシル、ハチミツ、４−ヒドロキシ−３−ペンテン酸ラクトン、４−ヒドロキシ−４−（３−ヒドロキシ−１−ブテニル）−３，５，５−トリメチル−２−シクロヘキセン−１−オン、４−（パラ−ヒドロキシフェニル）−２−ブタノン、４−ヒドロキシウンデカン酸ナトリウム、インモルテルアブソリュート、β−イオノン、酢酸イソアミル、酪酸イソアミル、フェニル酢酸イソアミル、酢酸イソブチル、フェニル酢酸イソブチル、ジャスミンアブソリュート、コーラナッツティンク���ャー、ラブダナム油、レモンテルペンレス油、カンゾウエキストラクト、リナロール、酢酸リナリル、ロベージ根油、マルトール、メープルシロップ、Ｌ−メントール、メントン、酢酸Ｌ−メンチル、パラメトキシベンズアルデヒド、メチル  ２−ピロリルケトン、アントラニル酸メチル、フェニル酢酸メチル、サリチル酸メチル、４’−メチルアセトフェノン、メチルシクロペンテノロン、３−メチル吉草酸、ミモザアブソリュート、トウミツ、ミリスチン酸、ネロール、ネロリドール、γ−ノナラクトン、ナツメグ油、δ−オクタラクトン、オクタナール、オクタン酸、オレンジフラワー油、オレンジ油、オリス根油、パルミチン酸、ω−ペンタデカラクトン、ペパーミント油、プチグレインパラグアイ油、フェネチルアルコール、フェニル酢酸フェネチル、フェニル酢酸、ピペロナール、プラムエキストラクト、プロペニルグアエトール、酢酸プロピル、３−プロピリデンフタリド、プルーン果汁、ピルビン酸、レーズンエキストラクト、ローズ油、ラム酒、セージ油、サンダルウッド油、スペアミント油、スチラックスアブソリュート、マリーゴールド油、ティーディスティレート、α−テルピネオール、酢酸テルピニル、５，６，７，８−テトラヒドロキノキサリン、１，５，５，９−テトラメチル−１３−オキサシクロ（８．３．０．０（４．９））トリデカン、２，３，５，６−テトラメチルピラジン、タイム油、トマトエキストラクト、２−トリデカノン、クエン酸トリエチル、４−（２，６，６−トリメチル−１−シクロヘキセニル）２−ブテン−４−オン、２，６，６−トリメチル−２−シクロヘキセン−１，４−ジオン、４−（２，６，６−トリメチル−１，３−シクロヘキサジエニル）２−ブテン−４−オン、２，３，５−トリメチルピラジン、γ−ウンデカラクトン、γ−バレロラクトン、バニラエキストラクト、バニリン、ベラトルアルデヒド、バイオレットリーフアブソリュートが含まれる。通常、揮発性香料はｌ−メントールである。揮発性香料は、例えば、タバコ充填材、フィルタまたはその両者に添加され得る。いうまでもなく、一つのパッケージ内に収容される複数パッケージは同一の仕様で製造される。
【００１３】
シガレットパッケージ内にシガレットとともに収容される多孔質多糖類ゲルは、シガレットに含まれる揮発性香料と同じ香料を含む。
【００１４】
多糖類としては、カラギーナン、寒天、ゲランガム、タマリンドガム、サイリウムシードガムもしくはコンニャクグルコマンナンを単独で、またはカラギーナン、ローカストビーンガム、グアーガム、寒天、キサンタンガム、ゲランガム、タマリンドガム、タラガム、コンニャクグルコマンナン、デンプン、カシアガムおよびサイリウムシードガムからなる群から選択される多糖類を２種以上組み合わせて用いることができる。ゲランガムとタマリンドガムとの混合物が好ましい。これら多糖類は、加熱するだけでゲル化することができるため、多糖類をゲル化させるためのゲル化反応剤が不要である。
【００１５】
かかる多孔質の多糖類ゲルは、ＷＯ２００９／１４２１５９Ａ１に開示された香料含有多糖類ゲルを、マイクロ波加熱に供して製造することができる。
【００１６】
すなわち、まず、多糖類を、例えば６０〜９０℃の温度に加熱しながら水に溶解させる。得られた水溶液に揮発性香料と乳化剤とを加えて、上記温度で混練・乳化させて、乳化スラリーを得る。乳化剤としては、例えば、レシチン、ショ糖脂肪酸エステル、グリセリン脂肪酸エステル、ソルビタン脂肪酸エステル等を用いることができる。
【００１７】
次に、乳化スラリーを適当な支持体上にキャスティングし、水分を蒸発させるために乾燥させる。乾燥は、例えば３０℃〜４０℃の比較的低温で行う。得られた乾燥多糖類ゲル（シート）は、好ましくは１８重量％以上、より好ましくは６０重量％以上、特に７０重量％以上の量で揮発性香料を含有することができる。揮発性香料の含有率は、通常、８５重量％以下である。こうして得られる揮発性香料を含有する乾燥多糖類ゲルは、ＷＯ２００９／１４２１５９Ａ１に記載されたとおり、例えば５０℃の高温に曝されても揮発性香料をほとんど放出しない。
【００１８】
次に、得られた揮発性香料含有乾燥多糖類ゲルをマイクロ波加熱に供する。このマイクロ波加熱により、乾燥ゲルは多孔質となる。マイクロ波加熱は、マイクロ波と物質の相互作用によって、物質の内部から熱を生じさせる加熱方式である。マイクロ波加熱は、電子レンジを用いて行うことが好都合である。揮発性香料含有乾燥多糖類ゲルを、例えば、周波数が２．４５ＧＨｚであり、出力が５００Ｗ（５Ａ）の電子レンジで、２０秒〜４０秒間加熱することができる。すなわち、周波数が２．４５ＧＨｚであり、出力が５００Ｗ（５Ａ）の電子レンジに相当するマイクロ波エネルギーを、２０秒〜４０秒間揮発性香料含有乾燥多糖類ゲルに印加することができる。上述のようにこのマイクロ波加熱により、揮発性香料含有乾燥多糖類ゲルは、多孔質となる。得られる多孔質多糖類ゲルは、常温（３０℃以下）ではメントール等の揮発性香料を少量しか放出しないが、高温（５０℃以上）でメントール等の揮発性香料を多量に放出するという香料放出の温度依存特異性を示す。揮発性香料含有多孔質多糖類ゲルは、例えば１００μｍ以下のサイズのポアを複数あるいは多数有する。揮発性香料含有多孔質多糖類ゲルは、パッケージに収容されたシガレットが高温に曝されたときでも、揮発性香料のシガレット主流煙中のデリバリー量を有意に低下させないような多孔性を示す。多孔質多糖類ゲルは、シガレットパッケージに収容された複数のタバコに含まれる揮発性香料の合計量の１％以上、通常１０〜５０％の量の揮発性香料を含有することが好ましい。
【００１９】
上述のように、本発明の揮発性香料含有多孔質多糖類ゲルは、シガレットパッケージ内に収容される。多孔質多糖類ゲルは、シート、塊等の形態で、シガレットパッケージ内に収容させることができる。例えば、多孔質多糖類ゲルのシートを、外側パックの内面の少なくとも一部を覆うように接着することができる。あるいは、多孔質多糖類ゲルのシートを外側パックと、内側パックとの間に形成されたスペース内に単に挿入することもできる。
【００２０】
図１は、ヒンジ蓋型シガレットボックス１０を示す概略斜視図である。シガレットボックス１０は、外側のボックス本体１２と、開閉するこれにピボット的に連設され、ボックス本体１２の開口端を開閉する蓋（ヒンジ蓋）１４を備える。ボックス本体１２は、前面壁１２１、後面壁１２２、側面壁１２３および１２４並びに底壁１２５を有する。ボックス本体１２の前面壁１２１は、上方端から部分的に切欠（１２１ａ）されている。蓋１４は、蓋の後面壁１２２に、図示しないヒンジ２７を介して接続されている。蓋１４は、前面壁１４１、後面壁１４２、側面壁１４３および１４４並びに頂面壁１４５を有する。図１では、蓋１２はボックス内のシガレット２０が見えるように開いている。同様に後述する内側パック１３０も開いている。内側パック１３０は、シガレット２０が見えるように、一部破断されている。
【００２１】
シガレット２０の束は、アルミニウムで裏打ちされた紙シートからなる内側パック１３０により直接包まれてボックス本体１２内に収容されている。各シガレット２０は、タバコ充填材のロッドを図示しない巻紙で包んだシガレットロッド２０１を備え、シガレットロッドの一端には、フィルタ２０２が取り付けられている。シガレット２０は、例えばメントールシガレットであり、メントールはタバコ充填材またはフィルタに添加されている。
【００２２】
シガレットボックス１２内には、本発明の揮発性香料含有多糖類ゲル多孔質シートが収容されている。例えば、多孔質シートは、ボックス本体の前面壁１２１、後面壁１２２、側面壁１２３、１２４および／または底壁１２５の内面に適当な接着剤で取りつけることができる。ボックス本体の内面の代わりにあるいはそれに加えて、多孔質シートは、蓋１２の前面壁１４１、後面壁１４２、側面壁１４３、１４４および／または頂面壁１４５の内面に取り付けることもできる。図１では、本発明の揮発性香料含有多孔質多糖類ゲルシート４０は、蓋１４の頂面壁１４５の内面に取り付けられている。シガレットボックス１０は、通常、図示しない薄い樹脂フィルムによって包まれている。
【００２３】
図２は、本発明の揮発性香料含有多孔質多糖類ゲルシート４１が、ボックス本体１２の前面壁１２１の内面と内側パック１３０の前面壁との間のスペースに単に挿入されている（シガレットパッケージのいずれの部分にも接着されていない）以外は、図１に示すシガレットパッケージと同様のシガレットパッケージを示す。
【００２４】
本発明のシガレットパッケージは、揮発性香料含有多孔質多糖類ゲルを収容しているので、高温下で保管しても（例えば、夏場の自動販売機中に置かれても）、シガレット主流煙中へのシガレットからの揮発性香料のデリバリー量が実質的に減少しない。
【実施例】
【００２５】
実施例１
本実施例において、多糖類として、ゲランガム（ＣＰ Ｋｅｌｃｏ社製、商品名：ケルコゲル）およびタマリンドガム（三栄源エフ・エフ・アイ社製、商品名：ビストップＤ−２０３２）を用い、香料としてｌ−メントール（和光純薬、試薬メントール）を用い、乳化剤としてレシチン（太陽化学、商品名：サンレシチンＡ−１）を用いた。【００２６】
ゲランガム１ｇとタマリンドガム１ｇを１００ｍＬの水に加え、８０℃の恒温水槽内で加熱し、溶解した。この溶液にｌ−メントール１０ｇと、レシチンの５％水溶液１．６ｍＬを添加し、ホモジナイザ（エーテックジャパン・高性能ミキサＤＭＭ）で乳化させた。得られた乳化スラリーをステンレス板上にシート状に伸展し、空気強制循環型乾燥機（いすゞ製ＥＰＳＦ１１６）にて４０℃で１週間乾燥させた。こうして得た乾燥シートは、メンソールを約８５重量％の量で含有していることを分析した。この乾燥シートのＳＥＭ（ＪＥＯＬ製ＪＳＭ５３１０）写真を図３に示す。この乾燥シートをビーカー内に移し、電子レンジ(東芝製ＥＲ-Ｖ１１（Ｗ））で５００Ｗで３０秒間加熱し、多孔質メントールシートを得た。得られた多孔質メントールシートのＳＥＭ（ＪＥＯＬ製ＪＳＭ５３１０）写真を図４に示す。【００２７】
得られた多孔質メントールシートを用いまたは用いずに以下の実験を行った。【００２８】
実験１：密閉ガラス容器内に市販のセルロースアセテートフィルタ付きメントールシガレット（タバコ刻に約６ｍｇのメントールを添加；ただし、本実験開始直前にメントールの分布状態を測定したところ、メントールはタバコ刻に約４．５ｍｇ、フィルタに約１．５ｍｇ存在することがわかった）だけを入れ、２２℃で１３日、および２８日保存した後、シガレットを自動喫煙させ、タバコ煙中のメントール量を測定した。【００２９】
実験２：密閉ガラス容器内に市販のセルロースアセテートフィルタ付きメントールシガレット（タバコ刻に約６ｍｇのメントールを添加）と上記多孔質メントールシートを入れ、２２℃で１３日、および２８日保存した後、シガレットを自動喫煙させ、タバコ煙中のメントール量を測定した。【００３０】
実験３：密閉ガラス容器内に市販のセルロースアセテートフィルタ付きメントールシガレット（タバコ刻に約６ｍｇのメントールを添加）だけを入れ、５５℃で１３日、および２８日保存した後、シガレットを自動喫煙させ、タバコ煙中のメントール量を測定した。【００３１】
実験４：密閉ガラス容器内に市販のセルロースアセテートフィルタ付きメントールシガレット（タバコ刻に約６ｍｇのメントールを添加）と上記多孔質メントールシートを入れ、５５℃で１４日、および２８日保存した後、シガレットを自動喫煙させ、タバコ煙中のメントール量を測定した。【００３２】
シガレットの自動喫煙には、２０本掛けリニア型喫煙器（フィルトローナ社製ＳＭ４００；ＩＳＯ標準器）を用い、一回のパフ当たり、パフ時間は２秒で、パフ容量は３５ｍＬであり、パフ間隔は６０秒であった。シガレットは、シガレット先端から５３ｍｍの長さだけ燃焼させた。ガスバッグに煙を捕集し、煙中のメントール量をガスクロマトグラフ（Ａｇｉｌｅｎｔ製６８９０Ｎ）により測定した。結果（シガレット１本当たりのタバコ煙中のメントール量）を図５に示す。図５において、実験１の結果を白抜き菱形で示し、実験２の結果を黒菱形で示し、実験３の結果を白抜き三角で示し、実験４の結果を黒三角で示す。【００３３】
図５に示すように、メントールシガレットを２２℃で保存した場合は、多孔質メントールシートが共存していたときでも、共存していなかったときでも、タバコ煙中のメントール量に大差は無い。しかしながら、メントールシガレットを５５℃で保存した場合は、多孔質メントールシートを共存させなかったときは、タバコ煙中のメントール量は初期量に比べて大幅に減少するが、多孔質メントールシートを共存させたときは、タバコ煙中のメントール量はほとんど減少しない。これらの結果は、多孔質メントールシートは、常温（３０℃以下）ではメントールを少量しか放出しないが、高温（５０℃以上）でメントールを多量に放出することを強く示唆している。
【図１】
0005393874.tif 000002
【図２】
0005393874.tif 000003
【図５】
0005393874.tif 000004
【図３】
0005393874.tif 000005
【図４】
0005393874.tif 000006